(57)【要約】【課題】十分な強度で足場部材に取り付けられる仮設足場用幅木装置を提供する。【解決手段】所定間隔で配置された横架材１１、１２間に取り付けられ、幅方向両側に枠体部１３、１３ｂを有し、上部の足踏み領域には開口部１４が形成された長尺の足場部材１５に取り付ける仮設足場用幅木装置１０であって、足場部材１５の幅方向の片側端部に立設されて使用される幅木本体１６と、幅木本体１６の底部２７から足場部材１５の中央部側に突出する補強金具１７を介して、幅木本体１６に取り付けられ、足場部材１５の開口部１４に挿入して、足場部材１５に掛止されるＬ字状に屈曲した複数の掛止フック１８と、立設状態の幅木本体１６を、足場部材１５の枠体部１３を挟持して締結固定する幅木本体固定手段１９とを有する。【選択図】図１
2011089260.tif 000002
【特許請求の範囲】
【請求項１】
所定間隔で配置された横架材間に取り付けられ、少なくとも幅方向両側に枠体部を有し、上部の足踏み領域には開口部が形成された長尺の足場部材に取り付ける仮設足場用幅木装置であって、
前記足場部材の幅方向の片側端部に立設されて使用される幅木本体と、
前記幅木本体の底部から前記足場部材の中央部側に突出する補強金具を介して、該幅木本体に取り付けられ、前記足場部材の開口部に挿入して、該足場部材に掛止されるＬ字状に屈曲した複数の掛止フックと、
立設状態の前記幅木本体を、前記足場部材の枠体部を挟持して締結固定する幅木本体固定手段とを有することを特徴とする仮設足場用幅木装置。
【請求項２】
請求項１記載の仮設足場用幅木装置において、前記幅木本体は長尺幅広鉄板の幅方向両側を一方向に折り曲げ、更にその先側を内側に折り曲げて断面リップ溝形状となっていることを特徴とする仮設足場用幅木装置。
【請求項３】
請求項１又は２記載の仮設足場用幅木装置において、前記補強金具は、前記幅木本体の正面板部に固定され、下部は該幅木本体の底部と同一高さ位置で前記足場部材の中央部側に折れ曲がって前記掛止フックの上端が固定される下板部が形成されていることを特徴とする仮設足場用幅木装置。
【請求項４】
請求項３記載の仮設足場用幅木装置において、前記幅木本体固定手段は、先部が屈曲して形成され、前記足場部材の片側端部に掛止されるＬ字状ボルトと、該Ｌ字状ボルトの基部に螺合されるナットとを備え、前記補強金具の上部は、前記幅木本体の天井部に沿って折れ曲がり、前記Ｌ字状ボルトが挿通される貫通孔が形成されていることを特徴とする仮設足場用幅木装置。
【請求項５】
請求項４記載の仮設足場用幅木装置において、前記Ｌ字状ボルトの前記幅木本体に対する回転動作を制限する回り止め機構が設けられていることを特徴とする仮設足場用幅木装置。
【請求項６】
請求項５記載の仮設足場用幅木装置において、前記回り止め機構は、前記幅木本体に取り付けられ、前記Ｌ字状ボルトを一側から押圧するバネ材を有して構成されていることを特徴とする仮設足場用幅木装置。
【発明の詳細な説明】
【技術分野】
【０００１】
本発明は、建築や土木工事の作業足場となる足場板に取り付けられ、作業者の踏み外し等を防止する仮設足場用幅木装置に関する。
【背景技術】
【０００２】
建築や土木工事の現場では、水平配置した横架材の間に足場部材（足場板）を架設して、建築途中の建物の周囲に作業者の作業床を形成する仮設足場が設けられる。そして、作業者自身が、足場部材から足を踏み外して落下することや、作業者が、足場部材上から工具、資材等を誤って落下することを防止するため、建物の反対側にあたる足場部材の外側部に幅木を起立状に設けることが行われている。
【０００３】
仮設足場に設けられる幅木として、例えば、特許文献１の足場用幅木は、幅木本体の両端部に、幅木本体の下部から突出し、幅木本体を起立状態で足場部材上に載置するための載置板と、幅木本体が足場部材上に起立する状態で足場部材の下面側に係脱自在となり、幅木本体を足場部材に固定する取り付け金具を備えている。
【０００４】
そして、取り付け金具は、幅木本体に垂直の軸心を中心に回転可能に取り付けた回転軸と、幅木本体の下面から突出する回転軸の下端水平部に回転及び軸方向への移動が可能となるように取り付けられ、側面に傾斜面を備え、足場部材の下面側に位置された直立状態で上端部を足場部材の下面に当接させることができる係合金具と、係合金具に対してその側面の傾斜面が足場部材の下面内側コーナに圧接する方向の移動弾性を付勢する弾性部材とで形成されている。
【先行技術文献】
【特許文献】
【０００５】
【特許文献１】特開２００５−１３９６６３号公報
【発明の概要】
【発明が解決しようとする課題】
【０００６】
しかしながら、特許文献１の足場用幅木は、主に係合金具の傾斜面を足場板の下面内側コーナに圧接することにより、足場部材へ取り付けられており、取り付け強度が十分でないという問題があった。
本発明はかかる事情に鑑みてなされたもので、十分な強度で足場部材に取り付けられる仮設足場用幅木装置を提供することを目的とする。
【課題を解決するための手段】
【０００７】
前記目的に沿う本発明に係る仮設足場用幅木装置は、所定間隔で配置された横架材間に取り付けられ、少なくとも幅方向両側に枠体部を有し、上部の足踏み領域には開口部が形成された長尺の足場部材に取り付ける仮設足場用幅木装置であって、前記足場部材の幅方向の片側端部に立設されて使用される幅木本体と、前記幅木本体の底部から前記足場部材の中央部側に突出する補強金具を介して、該幅木本体に取り付けられ、、前記足場部材の開口部に挿入して、該足場部材に掛止されるＬ字状に屈曲した複数の掛止フックと、立設状態の前記幅木本体を、前記足場部材の枠体部を挟持して締結固定する幅木本体固定手段とを有する。
【０００８】
本発明に係る仮設足場用幅木装置において、前記幅木本体は長尺幅広鉄板の幅方向両側を一方向に折り曲げ、更にその先側を内側に折り曲げて断面リップ溝形状となっているのが好ましい。
【０００９】
本発明に係る仮設足場用幅木装置において、前記補強金具は、前記幅木本体の正面板部に固定され、下部は該幅木本体の底部と同一高さ位置で前記足場部材の中央部側に折れ曲がって前記掛止フックの上端が固定される下板部が形成されているのが好ましい。
【００１０】
本発明に係る仮設足場用幅木装置において、前記幅木本体固定手段は、先部が屈曲して形成され、前記足場部材の片側端部に掛止されるＬ字状ボルトと、該Ｌ字状ボルトの基部に螺合されるナットとを備え、前記補強金具の上部は、前記幅木本体の天井部に沿って折れ曲がり、前記Ｌ字状ボルトが挿通される貫通孔が形成されているのが好ましい。
【００１１】
本発明に係る仮設足場用幅木装置において、前記Ｌ字状ボルトの前記幅木本体に対する回転動作を制限する回り止め機構が設けられているのが好ましい。
【００１２】
本発明に係る仮設足場用幅木装置において、前記回り止め機構は、前記幅木本体に取り付けられ、前記Ｌ字状ボルトを一側から押圧するバネ材を有して構成されているのが好ましい。
【発明の効果】
【００１３】
請求項１〜６記載の仮設足場用幅木装置は、足場部材の開口部に挿入して、足場部材に掛止されるＬ字状に屈曲した複数の掛止フックと、立設状態の幅木本体を、足場部材の枠体部を挟持して締結固定する幅木本体固定手段とを有するので、少なくとも異なる２種類の固定方法により、十分な強度による足場部材への取り付けが可能である。
【００１４】
特に、請求項２記載の仮設足場用幅木装置は、幅木本体が、長尺幅広鉄板の幅方向両側を一方向に折り曲げ、更にその先側を内側に折り曲げて断面リップ溝形状となっているので、運搬、足場部材への取り付け等、仮設足場用幅木装置の取り扱いの際に幅木本体に長尺方向の曲げが生じるのを防止するのに十分な曲げ強度を確保している。
【００１５】
請求項３記載の仮設足場用幅木装置は、補強金具の下部が、幅木本体の底部と同一高さ位置で足場部材の中央部側に折れ曲がり、下板部を形成しているので、幅木本体の底部と共に、下板部を足場部材に当接することができ、幅木本体を足場部材に安定して立設させることが可能である。
【００１６】
請求項４記載の仮設足場用幅木装置は、幅木本体固定手段が、先部が屈曲して形成され、足場部材の片側端部に掛止されるＬ字状ボルトを備えるので、複雑な構成、構造を設けることなく、足場部材への掛止を行うことができる。
また、補強金具の上部は、幅木本体の天井部に沿って折れ曲がっているので、補強金具の幅木本体に対する位置合わせが容易であり、補強金具の幅木本体への取り付けを、短時間で行うことができる。
【００１７】
請求項５記載の仮設足場用幅木装置は、Ｌ字状ボルトの幅木本体に対する回転動作を制限する回り止め機構が設けられているので、Ｌ字状ボルトは、屈曲した先部が、回転することなく、足場部材の片側端部に掛止された状態を維持することができる。
【００１８】
請求項６記載の仮設足場用幅木装置は、回り止め機構が、幅木本体に取り付けられ、Ｌ字状ボルトを一側から押圧するバネ材によって構成されているので、バネ材の反発力によってＬ字状ボルトの回転動作を安定的に制限可能である。
【図面の簡単な説明】
【００１９】
【図１】本発明の一実施の形態に係る仮設足場用幅木装置の足場部材への取り付け状態を示す平面図である。
【図２】図１のＸ−Ｘ矢視断面図である。
【図３】同仮設足場用幅木装置の正面図である。
【図４】同仮設足場用幅木装置の背面図である。
【図５】同仮設足場用幅木装置の平面図である。
【図６】同仮設足場用幅木装置の底面図である。
【図７】同仮設足場用幅木装置の側面図である。
【図８】図３のＹ−Ｙ矢視断面図である。
【発明を実施するための形態】
【００２０】
続いて、添付した図面を参照しつつ、本発明を具体化した実施の形態につき説明し、本発明の理解に供する。
図１〜図８に示すように、本発明の一実施の形態に係る仮設足場用幅木装置１０は、所定間隔で配置された横架材の一例であるパイプ材１１、１２間に取り付けられ、端部が連結されて４角形の枠体２２ｂを形成する山形鋼又は溝形鋼からなる枠体部１３、１３ａ、１３ｂ、１３ｃを有し、上部の足踏み領域には開口部１４が形成された長尺の足場部材１５に取り付ける装置である。
【００２１】
そして、仮設足場用幅木装置１０は、足場部材１５の幅方向の片側端部に立設されて使用される幅木本体１６と、幅木本体１６の底部２７から足場部材１５の中央部側に突出する補強金具１７を介して幅木本体１６に取り付けられ、足場部材１５の開口部１４に挿入して、足場部材１５に掛止されるＬ字状に屈曲した複数の掛止フック１８と、立設状態の幅木本体１６を、足場部材１５の枠体部１３を挟持して締結固定する幅木本体固定手段１９とを有している。以下、これらについて詳細に説明する。
【００２２】
図１、図２に示すように、足場部材１５は既設のものであり、枠体部１３、１３ａ、１３ｂ、１３ｃと、枠体部１３、１３ａ、１３ｂ、１３ｃの内側に溶接固定して張設され、多数の菱形の開口部１４が形成された長方形のエキスパンドメタル２０（網鉄板の一例で、例えば、ＪＩＳ規格でＸＧ２１）と、足場部材１５の長手方向両側に位置する枠体部１３ａ、１３ｃに基部が固着され、先部がパイプ材１１、１２に掛止される複数のフック金具２１とを有している。エキスパンドメタル２０には、菱形の開口部１４を形成する網状の交差材２２が設けられている。なお、水平配置されたエキスパンドメタル２０は、上部に作業者の足の踏み場である足踏み領域を形成し、エキスパンドメタル２０の下部中央には、長手方向の強度補強のための補強棒材２２ａが設けられている。また、枠体部１３、１３ａ、１３ｂ、１３ｃは、エキスパンドメタル２０を囲む枠体２２ｂを形成している。
そして、枠体部１３（１３ａ、１３ｂ、１３ｃについても同様）は、断面「コ」字状に形成され、上下に対向対置された上水平面部２３及び下水平面部２４と、上水平面部２３及び下水平面部２４に垂直な側面部２５とを有している。
【００２３】
図３〜図７に示すように、幅木本体１６は、強度補強のため、厚さ０．５ｍｍ〜３．０ｍｍ（本実施の形態では１．０ｍｍ）の長尺幅広鉄板の幅方向両側を一方向に直角に折り曲げ、更にその先側を内側に直角に折り曲げた断面リップ溝形状となっており、足場部材１５に立設された状態で、上下方向両端部には、天井部２６と、枠体部１３の上水平面部２３に当接し、天井部２６に平行な底部２７とがそれぞれ形成されている。なお、幅木本体１６は、幅方向（縦）及び長尺方向（横）の長さがそれぞれ、１００ｍｍ〜２００ｍｍ（本実施の形態では１５５ｍｍ）、及び１０００ｍｍ〜３０００ｍｍ（本実施の形態では１７５０ｍｍ）である。
なお、本実施の形態では、幅木本体に、断面リップ溝形状の折り曲げ鋼板を用いたが、長尺、矩形の木板、プラスチックボード等でもよい。
【００２４】
幅木本体１６には、天井部２６及び底部２７の間に垂直配置された正面板部２８が設けられ、正面板部２８の左右両側には、例えばボルトとナットからなるねじ機構２９によって固定された対となる補強金具１７がそれぞれ設けられている。
補強金具１７は、幅木本体１６の厚みの２〜５倍の厚み（本実施の形態では３．２ｍｍ）を有し、上部に、幅木本体１６の天井部２６に沿って折れ曲がった上板部３２と、下部に、幅木本体１６の底部２７と同一高さ位置で足場部材１５の中央部側に折れ曲がった下板部３３とを備えている。そして、下板部３３には、掛止フック１８の上端部が溶接して固定されている。
なお、補強金具の下板部に貫通孔を設けると共に、掛止フックの上端部にねじ山の形成領域を設け、掛止フックの上端部を、ナットによって、補強金具の下板部に固定してもよい。
【００２５】
掛止フック１８は、直径５ｍｍ〜１３ｍｍ（本実施の形態では９ｍｍ）の丸鋼をＬ字状に屈曲して形成され、補強金具１７の下板部３３に溶接固定された垂直棒部３５と、垂直棒部３５の下端に連続して一体に形成された水平棒部３６とを有している。
図１、図２に示すように、仮設足場用幅木装置１０の足場部材１５への取り付けの際、掛止フック１８はエキスパンドメタル２０の開口部１４のいずれかに挿入される。そして、掛止フック１８は、開口部１４に挿入されて、垂直棒部３５を開口部１４に貫通すると共に、水平棒部３６をエキスパンドメタル２０の交差材２２の下部に僅少の隙間を有して、又は密着して配置するように形成されている。なお、足場部材１５に仮設足場用幅木装置１０を取り付けたとき、垂直棒部３５及び水平棒部３６の軸心は、幅木本体１６の正面板部２８に対して、それぞれ平行及び垂直に配置され、幅木本体１６の正面板部２８がエキスパンドメタル２０（足踏み領域の平面）に対して垂直になるように、仮設足場用幅木装置１０を固定する。
【００２６】
幅木本体固定手段１９は、先部が屈曲して形成され、足場部材１５の片側端部に位置する枠体部１３に掛止されるＬ字状ボルト３８と、Ｌ字状ボルト３８の基部に螺合されるナットの一例である蝶ナット３９とを備えている。
Ｌ字状ボルト３８は、蝶ナット３９を時計回り、あるいは反時計回りに回転することによって、幅木本体１６に対する上下位置を変更可能であり、幅木本体１６の正面板部２８に平行配置され、基部に蝶ナット３９用のねじ山領域が形成された垂直棒部４１と、垂直棒部４１の先端に一体となって連続する水平棒部４２とを備えている。
なお、Ｌ字状ボルト３８は、直径５ｍｍ〜１３ｍｍ（本実施の形態では８ｍｍ）の丸鋼をＬ字状に屈曲して形成されている。
【００２７】
Ｌ字状ボルト３８の垂直棒部４１は、補強金具１７の上板部３２と、幅木本体１６の天井部２６及び底部２７とにそれぞれ形成された貫通孔に挿通され、鉛直配置の状態で、上部（基部）に螺合された蝶ナット３９によって、それらの貫通孔から抜け落ちないように位置固定される。
水平棒部４２は、蝶ナット３９の回転によって、幅木本体１６の底部２７との距離を調整されて、枠体部１３の下水平面部２４に下から当接し、この水平棒部４２と、枠体部１３の上水平面部２３の上から当接する幅木本体１６の底部２７及び補強金具１７の下板部３３とによって、枠体部１３を挟持可能である。
なお、木板、プラスチックボードの幅木本体を用いる場合は、幅木本体に、Ｌ字状ボルト３８の垂直棒部４１が挿通される上下方向の貫通孔を設けることができ、また、幅木本体の正面部には、ねじ機構によって、補強金具１７が取り付けられる。
【００２８】
仮設足場用幅木装置１０を足場部材１５に取り付ける際には、まず、幅木本体１６の底部２７とＬ字状ボルト３８の水平棒部４２との間隔が枠体部１３の側面部２５の高さより広くなるように蝶ナット３９によってＬ字状ボルト３８の上下位置を調整し、更に、水平棒部４２の先端部が後側に配置（平面視して、掛止フック１８から遠ざかるように配置）されるように、Ｌ字状ボルト３８を垂直棒部４１の軸心を軸にして回動する。
次に、掛止フック１８をエキスパンドメタル２０の開口部１４に挿入して、交差材２２に掛止し、Ｌ字状ボルト３８の垂直棒部４１の下部を枠体部１３の側面部２５に当接させると共に、幅木本体１６の底部２７及び補強金具１７の下板部３３を枠体部１３の上水平面部２３に当接させる。
そして、水平棒部４２の先端部が前側（エキスパンドメタル２０の中央側）に配置されるようにＬ字状ボルト３８を回動した後、蝶ナット３９によってＬ字状ボルト３８の上下位置を調整し、水平棒部４２を、枠体部１３の下水平面部２４に圧接させて、枠体部１３を上下から挟持するようにし、仮設足場用幅木装置１０の足場部材１５への取り付けが完了する。
【００２９】
図４、図７、図８に示すように、幅木本体１６の正面板部２８の裏側には、Ｌ字状ボルト３８の垂直棒部４１を正面側から後方に押圧するバネ材の一例である板バネ材４３が取り付けられている。板バネ材４３は、Ｌ字状ボルト３８が、垂直棒部４１の軸心を軸に幅木本体１６に対して自在に回転するのを制限する回り止め機構（自由回転防止部材）を構成し、両端部を正面板部２８の裏側に密着させ、反発力により、中央部で垂直棒部４１を押圧するように、断面が略「く」字状に形成される。この押圧されるときの摩擦力により、Ｌ字状ボルト３８の回転動作を制限している。
なお、図面上省略された幅木本体１６の中間部は、図１において、長尺方向に２８０ｍｍの領域であり、図３〜図６、及び図８において、長尺方向に３５０ｍｍの領域である。
【００３０】
以上、本発明の実施の形態を説明したが、本発明は、上記した形態に限定されるものでなく、要旨を逸脱しない条件の変更等は全て本発明の適用範囲である。
例えば、枠体部は足場部材の幅方向両側にのみ設けてもよく、この場合、横架材に掛止されるフック金具は枠体部に連続して設けることができる。
また、Ｌ字状ボルトの蝶ナットが螺合される領域以外の部分、及び掛止フックは、断面が多角形、例えば正方形や、長方形の棒材でもよく、この場合、Ｌ字状ボルトの回り止め機構は、板バネ材の代わりに、幅木本体の天井部及び底部と、補強金具の上板部とに設けられたＬ字状ボルトの断面と同形状の貫通孔によって形成することができ、更に、Ｌ字状ボルトの垂直棒部は、足場部材への仮設足場用幅木装置の取り付けの際、掛止フックをエキスパンドメタルの開口部に掛止した状態で、水平棒部がエキスパンドメタルの下水平面部に十分な隙間を有して配置可能な長さに形成される。
【符号の説明】
【００３１】
１０：仮設足場用幅木装置、１１、１２：パイプ材、１３、１３ａ、１３ｂ、１３ｃ：枠体部、１４：開口部、１５：足場部材、１６：幅木本体、１７：補強金具、１８：掛止フック、１９：幅木本体固定手段、２０：エキスパンドメタル、２１：フック金具、２２：交差材、２２ａ：補強棒材、２２ｂ：枠体、２３：上水平面部、２４：下水平面部、２５：側面部、２６：天井部、２７：底部、２８：正面板部、２９：ねじ機構、３２：上板部、３３：下板部、３５：垂直棒部、３６：水平棒部、３８：Ｌ字状ボルト、３９：蝶ナット、４１：垂直棒部、４２：水平棒部、４３：板バネ材
【図１】
2011089260.tif 000003
【図２】
2011089260.tif 000004
【図３】
2011089260.tif 000005
【図４】
2011089260.tif 000006
【図５】
2011089260.tif 000007
【図６】
2011089260.tif 000008
【図７】
2011089260.tif 000009
【図８】
2011089260.tif 000010